(57)【要約】【課題】３Ｄ映像の視聴に関する通知をユーザにとって好適な時間に実行可能な通知システム、シャッターメガネ、及び通知方法の提供。【解決手段】実施形態に係る通知システムは、表示装置と１以上のシャッターメガネとを含み、表示装置は表示手段と送信手段とを、シャッターメガネは受信手段とシャッター制御手段と通知手段とを備える。ここで、表示手段は、３Ｄ映像用の映像を表示する。送信手段は、１以上のシャッターメガネに、当該シャッターメガネのシャッターを制御するためのシャッター制御情報を含む制御情報を送信する。また、受信手段はシャッター制御情報を含む制御情報を受信する。シャッター制御手段は、受信された制御情報に含まれる前記シャッター制御情報に基づいて、右目用及び左目用シャッターを開閉させる。そして、通知手段は、受信手段が制御情報の受信を開始した一定時間後に通知する。【選択図】  図２
2012060400.tif 000002
【特許請求の範囲】
【請求項１】
表示装置と１以上のシャッターメガネとを含む通知システムであって、
前記表示装置は、
３Ｄ映像用の映像を表示する表示手段と、
前記１以上のシャッターメガネに、当該シャッターメガネのシャッターを制御するためのシャッター制御情報を含む制御情報を送信する送信手段と
を備え、
前記シャッターメガネは、
前記シャッター制御情報を含む前記制御情報を受信する受信手段と、
受信された制御情報に含まれる前記シャッター制御情報に基づいて、右目用及び左目用シャッターを開閉させるシャッター制御手段と、
前記受信手段が前記制御情報の受信を開始した一定時間後に通知する通知手段と
を備える通知システム。
【請求項２】
前記制御情報は、前記シャッターメガネが通知する時間を制御するための時間制御情報を含み、
前記送信手段は、前記シャッター制御情報と前記時間制御情報とを送信し、
前記受信手段は、前記送信手段から送信された前記シャッター制御情報と前記時間制御情報とを受信し、
前記通知手段は、前記シャッター制御情報及び前記時間制御情報のうち少なくとも一方の受信を開始した後、受信された前記時間制御情報に基づいた一定時間後に通知する、請求項１記載の通知システム。
【請求項３】
前記送信手段は、前記１以上のシャッターメガネの夫々の識別子と、当該識別子に対応付けられた時間情報とを含む前記時間制御情報を送信し、
前記通知手段は、受信された前記時間制御情報に含まれる時間情報のうち、自機器の識別子に対応付けられた時間情報に基づいた前記一定時間後に通知する、請求項２記載の通知システム。
【請求項４】
前記通知手段は、自機器に振動を発生させることにより通知する振動発生手段を含む、請求項１記載の通知システム。
【請求項５】
前記通知手段は、前記受信手段が前記制御情報の受信を開始した場合にカウントを開始して当該カウントが一定値以上になると通知し、前記カウント中に前記受信手段が前記制御情報を一定時間受信しなかった場合には当該カウントを中止する、請求項１記載の通知システム。
【請求項６】
前記表示装置は、操作入力が入力される入力手段を更に備え、
前記送信手段は、入力された前記操作入力に基づいた前記時間制御情報を送信する、請求項２記載の通知システム。
【請求項７】
前記表示手段は、前記シャッターメガネが通知する時間について設定するための設定画面を表示し、
前記入力手段には、前記設定画面に対する操作入力が入力される、請求項６記載の通知システム。
【請求項８】
前記表示装置は、前記時間情報と前記シャッターメガネの識別子とを対応付ける対応付手段とを更に備え、
前記表示手段は、複数の前記シャッターメガネの夫々が通知する時間について、当該シャッターメガネ毎に設定するための前記設定画面を表示し、
前記対応付手段は、前記設定画面に対する操作入力に基づいて前記時間情報と前記識別子とを対応付け、
前記送信手段は、前記対応付手段により対応付けられた前記識別子と前記時間情報とを含む前記時間制御情報を送信する、請求項７記載の通知システム。
【請求項９】
シャッターメガネ制御用の制御情報を受信する受信手段と、
前記受信手段が前記制御情報の受信を開始した一定時間後に通知する通知手段と
を備えるシャッターメガネ。
【請求項１０】
前記制御情報は、前記シャッターメガネのシャッターを制御するためのシャッター制御情報と、前記シャッターメガネが通知する時間を制御するための時間制御情報とを含み、
前記受信手段は、前記シャッター制御情報と前記時間制御情報とを受信し、
前記通知手段は、前記シャッター制御情報及び前記時間制御情報の受信を開始した後、受信された前記時間制御情報に基づいた前記一定時間後に通知する、請求項９記載のシャッターメガネ。
【請求項１１】
前記受信手段は、シャッターメガネ毎の識別子が対応付けられた時間情報を含む前記時間制御情報を受信し、
前記通知手段は、受信された前記時間制御情報に含まれる時間情報のうち、自機器の識別子に対応付けられた時間情報に基づいた前記一定時間後に通知する、請求項１０記載のシャッターメガネ。
【請求項１２】
前記通知手段は、前記受信手段が前記制御情報の受信を開始した場合にカウントを開始して当該カウントが一定値以上になると通知し、前記カウント中に前記受信手段が前記制御情報を一定時間受信しなかった場合には当該カウントを中止する、請求項９記載のシャッターメガネ。
【請求項１３】
表示装置と１以上のシャッターメガネとを含むシステムにおける通知方法であって、
前記表示装置が３Ｄ映像用の映像を表示することと、
前記表示装置が前記１以上のシャッターメガネに制御情報を送信することと、
前記１以上のシャッターメガネが前記制御情報を受信することと、
前記１以上のシャッターメガネが、前記制御情報の受信を開始した一定時間後に通知することと
を備える通知方法。
【請求項１４】
前記制御情報は、前記シャッターメガネのシャッターを制御する情報と、通知時間に関する時間制御情報とであり、
前記１以上のシャッターメガネが、受信した前記時間制御情報に基づいた時間に通知することとを備える、請求項１３記載の通知方法。
【発明の詳細な説明】
【技術分野】
【０００１】
本発明の実施形態は、通知システム、シャッターメガネ、及び通知方法に関する。
【背景技術】
【０００２】
３Ｄ映像を表示する機能を有するデジタルテレビ装置技術がある。ここで、ユーザが３Ｄ映像を長時間視聴した場合に当該ユーザの目に負担がかかる可能性が指摘されており、３Ｄ映像の視聴時間等に関しての安全ガイドラインが３Ｄコンソーシアム等により提案されている。このため、３Ｄ映像を視聴中のユーザに対して３Ｄ映像の視聴時間についての通知を行うことが望ましい
【先行技術文献】
【特許文献】
【０００３】
【特許文献１】実登３０８０６５７
【発明の概要】
【発明が解決しようとする課題】
【０００４】
しかしながら、例えば１つの３Ｄ映像を複数のユーザが視聴している場合には、ユーザ毎に視聴時間が異なる場合があり、全てのユーザに対して同時に通知を実行すると、ユーザによっては不適当な時間に通知されることとなる恐れがある。このため、ユーザにとって好適な時間に通知を実行できることが好ましい。
【０００５】
そこで本発明の実施形態は、３Ｄ映像の視聴に関する通知をユーザにとって好適な時間に実行可能な通知システム、シャッターメガネ、及び通知方法の提供を目的とする。
【課題を解決するための手段】
【０００６】
実施形態に係る通知システムは、表示装置と１以上のシャッターメガネとを含み、表示装置は表示手段と送信手段とを、シャッターメガネは受信手段とシャッター制御手段と通知手段とを備える。ここで、表示手段は、３Ｄ映像用の映像を表示する。送信手段は、１以上のシャッターメガネに、当該シャッターメガネのシャッターを制御するためのシャッター制御情報を含む制御情報を送信する。また、受信手段はシャッター制御情報を含む制御情報を受信する。シャッター制御手段は、受信された制御情報に含まれる前記シャッター制御情報に基づいて、右目用及び左目用シャッターを開閉させる。そして、通知手段は、受信手段が制御情報の受信を開始した一定時間後に通知する。
【図面の簡単な説明】
【０００７】
【図１】実施形態のテレビ装置及びシャッターメガネの利用形態例を示す図。
【図２】実施形態のテレビ装置及びシャッターメガネのシステム構成例を示す図。
【図３】実施形態のテレビ装置が表示する通知設定画面の画面例を示す図。
【図４】実施形態のテレビ装置が送信する時間制御情報のデータ構成例を示す図。
【図５】実施形態のテレビ装置による、３Ｄ映像表示に係る処理フロー例を示す図。
【図６】実施形態のシャッターメガネによる、警告通知に係る処理フロー例を示す図。
【発明を実施するための形態】
【０００８】
以下、図面を参照して実施形態を説明する。
図１は、本実施形態に係る通知システムの利用形態例を示す図である。ここで、本実施形態に係る通知システムは、例えばテレビ装置１００とシャッターメガネ２００乃至４００を含む。
【０００９】
テレビ装置１００は、３Ｄ表示用の映像を表示する機能を有する。そしてテレビ装置１００は、３Ｄ表示用映像を表示する際にシャッターメガネ２００乃至４００のシャッターの開閉を制御するためのシャッター制御情報（シャッター制御信号）を送信する。またテレビ装置１００は、シャッターメガネ２００乃至４００が警告を通知する通知時間を設定させるための時間制御情報を送信しても良く、更に、通知時間とシャッターメガネ２００乃至４００の識別子とを対応付けた時間制御情報を送信してもよい。
【００１０】
シャッターメガネ２００乃至４００は、テレビ装置１００から送信されたシャッター制御情報（シャッター制御信号）を受信し、受信した当該制御情報に基づいて右目用及び左目用シャッター（不図示）を開閉する。なお図１においてはシャッターメガネが３つである場合を記載しているが、シャッターメガネの数はこれに限るものではなく、１以上又は複数であれば良い。そしてシャッターメガネ２００乃至４００は、夫々のシャッターメガネの使用が開始された時間から一定時間後に時間に、振動、音声出力、シャッター動作等により通知する機能を有し、夫々のシャッターメガネを使用するユーザにとって好適な時間に通知することができるものであるが、詳細については図２乃至図６を参照して後述する。
【００１１】
図２は、テレビ装置１００及びシャッターメガネ２００のシステム構成例を示す図である。なおシャッターメガネ３００及び４００の構成は、シャッターメガネ２００と同様であるため説明を省略する。
【００１２】
まずテレビ装置１００のシステム構成を説明する。テレビ装置１００は、チューナ部１０１、ＯＤＤ１０２、映像入力部１０３、復号部１０４、ＯＳＤ処理部１０５、表示処理部１０６、表示部１０７、操作受付部１０８、ＧＵＩ処理部１０９、通知時間処理部１１０、送信部１１１等を備える。
【００１３】
チューナ部１０１は、テレビ放送信号を受信し、当該テレビ放送信号に含まれる映像データを復調する機能を有する。そしてチューナ部１０１は、復調した映像データを映像入力部１０３に出力する。またＯＤＤ１０２は、光学ディスクに格納された映像データを読み込んで映像入力部１０３に出力する機能を有する。
【００１４】
映像入力部１０３には、２Ｄ用又は３Ｄ用の映像データが入力される。なお、ここで映像入力部１０３に入力される３Ｄ用の映像データのデータ形式の例としては、例えばＳｉｄｅ−ｂｙ−Ｓｉｄｅ形式、Ｔｏｐ−ａｎｄ−Ｂｏｔｔｏｍ形式、Ｆｒａｍｅ−Ｐａｃｋｉｎｇ形式等が挙げられる。そして映像入力部１０３は、入力された２Ｄ用又は３Ｄ用の映像データを復号部１０４に出力する。続いて復号部１０４は、映像データをデコードし、デコードした映像のフレームデータをＯＳＤ処理部１０５に出力する。
【００１５】
ＯＳＤ処理部１０５は、デコードされた映像のフレームに対して画像を重畳させる機能を有する。ここでＯＳＤ処理部１０５は、例えばＧＵＩ処理部１０９から入力される通知設定画面等の画像データを、フレームデータに重畳させる。なおＯＳＤ処理部１０５は、テレビ装置１００が表示する映像が２Ｄ表示用であるか３Ｄ表示用であるかに応じて異なるサイズの画像を重畳させる。例えば、映像復号部１０４から入力されるフレームデータが、右目用画像と左目用画像とが１フレームに格納されているＳｉｄｅ−ｂｙ−Ｓｉｄｅ形式やＴｏｐ−ａｎｄ−Ｂｏｔｔｏｍ形式等であった場合、ＯＳＤ処理部１０５は、ＧＵＩのサイズを映像形式に応じたサイズに縮小して、当該縮小したＧＵＩを右目用画像及び左目用画像の両方の画像に重畳させる。そしてＯＳＤ処理部１０５は、画像を重畳したフレームデータを表示処理部１０６に出力する。なおＯＳＤ処理部１０５は、重畳すべき画像が入力されない場合、復号部１０４から入力されたフレームデータに画像を重畳することなく表示処理部１０６に出力する。
【００１６】
表示処理部１０６は、ＯＳＤ処理部１０５から入力されたフレームデータを、表示装置用の映像信号に変換して表示部１０７に出力する。ここで表示処理部１０６は、テレビ装置１００が３Ｄ用の映像を表示する場合、ＯＳＤ処理部１０５から入力されたフレームデータに含まれる右目用画像と左目用画像とを分離させ、当該分離させた右目用画像と左目用画像とを、交互に表示部１０７に出力する。そしてこのとき表示処理部１０６は、表示部１０７に出力している画像が右目用及び左目用の何れの画像であるかを示す同期信号を送信部１１１に出力する。
【００１７】
表示部１０７は、表示処理部１０６から入力される映像信号に応じた映像を表示する。即ち表示部１０７は、チューナ部１０１やＯＤＤ１０２等に入力された２Ｄ用又は３Ｄ用の映像データの映像や、ＧＵＩ処理部１０９が生成した画面の映像等を表示する。
【００１８】
操作受付部１０８は、ユーザからの操作入力を受け付ける。ここで操作受付部１０８は、例えば図示しないリモートコントローラやポインティングデバイス等に入力される操作入力を受け付ける。なお操作受付部１０８は、後述する通知設定画面に対する通知時間を設定するための操作入力や、テレビ装置１００に３Ｄ映像を表示させるための３Ｄ映像表示指示等の操作入力を受け付ける。
【００１９】
ＧＵＩ処理部１０９は、表示部１０７に表示するＧＵＩを生成する機能、及び当該ＧＵＩに対する操作入力を処理する機能を有する。ここでＧＵＩ処理部１０９は、例えば通知設定画面等のＧＵＩを生成する。なお当該通知設定画面とは、シャッターメガネが警告を通知する時間を設定するための画面である。また通知設定画面では、シャッターメガネ毎に警告を通知する時間を設定することもできる。当該通知設定画面の詳細については、図３を参照して後述する。
【００２０】
そしてＧＵＩ処理部１０９は、通知設定画面に対する操作入力が操作受付部１０８から入力されると、当該操作入力に基づいた指示を通知時間処理部１１０に出力する。即ちＧＵＩ処理部１０９は、例えばシャッターメガネの通知時間を一括に設定する操作入力を受けた場合、当該設定された通知時間を通知時間処理部１１０に出力する。
【００２１】
またＧＵＩ処理部１０９は、シャッターメガネ毎の通知時間を設定する操作入力を受けた場合、夫々のシャッターメガネに設定された通知時間と、夫々の通知時間が何れのシャッターメガネに対応するかを示す対応情報とを通知時間処理部１１０に出力する。
【００２２】
通知時間処理部１１０は、ＧＵＩ処理部１０９から入力された通知時間や、通知時間が何れのシャッターメガネに対応するかを示す対応情報等を処理する機能を有する。ここで通知時間処理部１１０は、入力された通知時間を記憶する。また通知時間処理部１１０は、通知時間と対応情報とが入力されると、通知時間と、当該通知時間を設定させる対象のシャッターメガネの識別子とを対応付けて記憶する。
【００２３】
そして通知時間処理部１１０は、記憶している通知時間を送信部１１１に出力すると共に、当該送信部１１１に、当該通知時間をシャッターメガネに設定させるための時間制御情報の生成を指示する。また通知時間処理部１１０は、通知時間と識別子とを対応付けて記憶している場合、当該通知時間と、通知時間に対応付けられた識別子とを送信部１１１に出力するとともに、通知時間と識別子とを対応付けた時間制御情報の生成を指示する。
【００２４】
送信部１１１は、表示処理部１０６から同期信号が入力された場合に、当該同期信号に基づいたシャッター制御情報を赤外線通信又は無線通信等により送信する機能を有する。なお当該シャッター制御情報は、コマンド形式によりシャッター制御を指示するものであっても良いし、あるいは送信部１１１から送信する信号のＯＮ／ＯＦＦ等によりシャッター制御を指示するものであっても構わない。
【００２５】
また送信部１１１は、通知時間処理部１１０の指示に応じて時間制御情報を生成する機能、及び生成した時間制御情報を送信する機能も有する。更に送信部１１１は、入力された同期信号に基づいたシャッター制御用の情報を生成して、時間制御情報に含めて送信する機能も有する。なお、送信部１１１が生成・送信する時間制御情報構造については図４を参照して後述する
【００２６】
続いてシャッターメガネ２００のシステム構成を説明する。シャッターメガネ２００は、受信部２０１、シャッター制御部２０２、シャッター２０３、通知制御部２０４、振動発生部２０５、音声出力部２０６等を備える。
【００２７】
受信部２０１は、テレビ装置１００から送信されたシャッター制御情報を受信する。また受信部２０１は、テレビ装置１００から時間制御情報が送信されている場合は当該時間制御情報も受信する。
【００２８】
そして受信部２０１は、受信したシャッター制御情報をシャッター制御部及び通知制御部２０４に出力する。また受信部２０１は、時間制御情報を通知制御部２０４に出力する。
【００２９】
シャッター制御部２０２は、受信部２０１から入力されたシャッター制御情報に基づいて、シャッター部２０３に対して開閉指示を出力する。シャッター部２０３は、右目用シャッター及び左目用シャッターを備え、シャッター制御部２０２から入力される開閉指示に基づいて右目用及び左目用シャッターを開閉する。あるいはシャッター部２０３は、シャッター制御部２０３から閉指示が入力された場合にシャッターを閉じ、何も指示が入力されない場合にはシャッターを開くようにしても良い。
【００３０】
またシャッター制御部２０２は、通知制御部２０４から警告通知指示が入力された場合に、シャッター部２０３に当該警告通知指示の入力前と異なる動作を指示する。つまりシャッター制御部２０２は、警告通知指示が入力されると、例えば右目及び左目用シャッターの両方を閉じる又は開く動作をシャッター部２０３に指示しても良いし、あるいはシャッター部２０３が文字や画像を表示可能な場合は、当該シャッター部２０３に警告通知の文字や画像の表示を指示しても良い。
【００３１】
通知制御部２０４は、３Ｄ視聴時間についての警告の通知に係る処理を実行する。そして警告を通知する際に通知制御部２０４は、シャッター制御部２０２、振動発生部２０５、音声出力部２０６等に通知出力指示を出力する。なお警告の通知に係る処理については図４乃至図６を参照して後述する。
【００３２】
振動発生部２０５は、通知制御部２０４から通知出力指示が入力されると、振動を発生させる。そして振動発生部２０５は、当該振動によりユーザに警告を通知する。また音声出力部２０６は、通知制御部２０４からの通知出力指示に応じて警告音を出力する機能を有する。
【００３３】
次に図３を参照して、ＧＵＩ処理部１０９が生成する通知設定画面の画面例を説明する。
図３（Ａ）に示す通知設定画面３０は、本実施形態の通知システムに含まれるシャッターメガネの夫々に対して、警告を通知するまでの時間として同一の時間長を設定させる場合にテレビ装置１００が表示する画面の例である。当該画面３０では、現在選択されている通知時間３１が表示され、また、警告の通知時間の設定を促す旨が表示される。
【００３４】
図３（Ｂ）に示す通知設定画面３２は、本実施形態の通知システムに含まれる複数のシャッターメガネに対して、警告の通知までの時間を夫々設定させる場合にテレビ装置１００が表示する画面の例である。当該画面３２では、シャッターメガネの夫々について、現在設定されている通知時間３３乃至３５が表示される。また、設定対象のシャッターメガネを変更するためのカーソル３６も表示される。
【００３５】
そして、これら画面３０又は３２に対する操作入力を操作受付部１０８が受け付けると、ＧＵＩ処理部１０９は当該操作入力を処理して、操作入力に応じた通知時間や対応情報を通知時間処理部１１０に出力する。
【００３６】
次に図４を参照して、送信部１１１が送信する時間制御情報のデータ構成例を説明する。
図４（Ａ）は、例えば１以上のシャッターメガネに対して同一の通知時間を設定させるための時間制御情報４０のデータ構成例である。当該制御情報４０は、警告を通知する時間についての通知時間４１を含む。そしてシャッターメガネ２００は、当該時間制御情報４０を受信すると、当該制御情報４０に含まれる通知時間４１が示す時間を通知時間として設定する。
【００３７】
図４（Ｂ）は、例えば複数のシャッターメガネの夫々に対して通知時間を設定させるための時間制御情報４２のデータ構成例である。当該制御情報４２は、識別子４３と、通知時間４４とを含む。なお識別子４３は、通知システムに含まれるシャッターメガネ２００乃至４００等を識別するための識別子であり、当該識別子４３の夫々と通知時間４４の夫々とが対応付けられて時間制御情報４２に格納されている。そしてシャッターメガネ２００は、当該時間制御情報４２を受信すると、時間制御情報４２に含まれる通知時間のうち、自機器の識別子に対応付けられている通知時間を抽出し、当該抽出した通知時間が示す時間を自機器の通知時間として設定する。
【００３８】
図４（Ｃ）は、シャッター制御用の情報とシャッターメガネに通知時間を設定させるための情報とを共に送信するための時間制御情報４５のデータ構成例である。当該制御情報４５は、右目シャッターの開閉を制御するための右目シャッター制御情報４６、左目シャッターの開閉を制御するための左目シャッター制御情報４７、通知時間４８を含んでいる。また図４（Ｄ）は、複数のシャッターメガネの夫々に対して通知時間を設定させるための情報と、シャッター制御用の情報とを共に送信するための時間制御情報４９のデータ構成例である。ここで当該制御情報４９は、右目シャッター制御情報５０、左目シャッター制御情報５１、識別子５２、通知時間５３等を含む。そして識別子５２と通知時間５３とは対応付けられて当該制御情報４９に格納されている。
【００３９】
次に図５を参照して、テレビ装置１００による、３Ｄ表示用の映像表示に係る処理フロー例を説明する。
まずテレビ装置１００は、通知設定画面を表示する（Ｓ５０１）。なおテレビ装置１００は、例えばリモートコントローラ等の操作入力装置から、通知設定画面表示を指示する操作入力が操作受付部１０８に入力された場合に当該通知設定画面を表示する。そしてテレビ装置１００は、当該画面に対する操作入力を受け付けると（Ｓ５０２）、当該操作入力に応じた時間を通知時間として記憶する。またＳ５０２において、複数のシャッターメガネの夫々に対して通知時間を設定する操作入力を受け付けると、テレビ装置１００は当該操作入力に基づいて、シャッターメガネの識別子と通知時間の情報とを対応付けて記憶する。
【００４０】
次にテレビ装置１００は、３Ｄ用の映像の表示を指示する操作入力を受け付けると（Ｓ５０３のＹｅｓ）、３Ｄ用の映像の表示を開始する（Ｓ５０４）。またテレビ装置１００は、３Ｄ用の映像の表示とともに、シャッターメガネ２００乃至４００のシャッターの開閉を制御するためのシャッター制御情報を送信する（Ｓ５０５）。そしてテレビ装置１００は、記憶している通知時間に基づいた時間制御情報を送信する（Ｓ５０６）。またここでテレビ装置１００は、通知時間とシャッターメガネの識別子とを対応付けて記憶している場合、当該通知時間と識別子とを対応付けた時間制御情報を送信する。
【００４１】
なおＳ５０５及びＳ５０６において、シャッター制御情報の送信と時間制御情報の送信とを別の処理として説明しているが、これに限るものではなく、例えば図４（Ｃ）及び（Ｄ）で示したような、シャッター制御用の情報と通知時間制御用の情報とを１つのコマンドとして含む制御情報を送信しても良い。あるいはテレビ装置１００は、シャッター制御情報と時間制御情報とを別々に送信し、時間制御情報を例えば１秒毎や１０秒毎等の一定時間毎に送信するようにしてもよい。つまりテレビ装置１００が送信する制御情報は、シャッター制御情報と時間制御情報とを含んでいればよく、シャッター制御情報が送信される時間と時間制御情報とが送信される時間とは異なっていても構わない。
【００４２】
次に図６を参照して、シャッターメガネ２００による、通知時間通知に係る処理フロー例を説明する。
まずシャッターメガネ２００は、シャッター制御情報を受信すると（Ｓ６０１）、時間制御情報を受信したか否かを判別する（Ｓ６０２）。ここで時間制御情報を受信した場合（Ｓ６０２のＹｅｓ）、通知制御部２０４は、当該受信した時間制御情報にシャッターメガネを識別するための機器識別子が含まれているかを判別する（Ｓ６０３）。一方、時間制御情報を受信していない場合（Ｓ６０２のＮｏ）、通知制御部２０４はＳ６０８の処理を実行する。
【００４３】
ここで識別子が含まれている場合（Ｓ６０３のＹｅｓ）、通知制御部２０４は時間制御情報に含まれる識別子のうち自機器の識別子に対応付けられている通知時間を抽出する（Ｓ６０４）。一方識別子が含まれていない場合（Ｓ６０３のＮｏ）、通知制御部２０４は時間制御情報に含まれる１つの通知時間を抽出する（Ｓ６０５）。
【００４４】
続いて通知制御部２０４は、抽出した通知時間が示す時間と、予め自機器に設定された時間とが一致するか否かを判別する（Ｓ６０６）。そして異なっている場合（Ｓ６０６のＹｅｓ）、通知制御部２０４は抽出した通知時間が指定する時間を、自機器の通知時間としてセットする（Ｓ６０７）。一方抽出した時間と予め機器に設定された時間とが同じ場合（Ｓ６０６のＮｏ）、通知制御部２０４はＳ６０８の処理を実行する。
【００４５】
次に通知制御部２０４は、現在カウント中であるか否かを判別する（Ｓ６０８）。ここで、カウント中でない場合（Ｓ６０８のＮｏ）、通知制御部２０４はカウンタをスタートさせ（Ｓ６０９）、Ｓ６１０の処理を実行する。一方カウント中の場合には（Ｓ６０８のＹｅｓ）、カウンタをスタートさせることなくＳ６１０の処理を実行する。
【００４６】
次に通知制御部２０４は、カウンタ値をインクリメントする（Ｓ６１０）。なおここで通知制御部２０４は、一定時間毎にカウンタをインクリメントする。即ち、例えば１秒毎、あるいは１分毎にカウンタをインクリメントする。そして通知制御部２０４は、カウンタ値が、設定された通知時間以上であるか否かを判別する（Ｓ６１１）。なおここで設定された通知時間とは、Ｓ６０７で設定された通知時間又は自機器に予め設定された通知時間である。
【００４７】
Ｓ６１１において、カウンタ値が通知時間の設定値未満である場合（Ｓ６１１のＮｏ）、続いて通知制御部２０４は、シャッター制御情報を受信していない状態が一定期間の間継続しているか否かを判別する（Ｓ６１２）。そして一定期間の間、シャッター制御情報を受信していない場合（Ｓ６１２のＹｅｓ）、通知制御部２０４はカウンタをストップさせる（Ｓ６１４）。一方シャッター制御情報を受信していない状態が一定期間継続していない場合（Ｓ６１２のＮｏ）、通知制御部２０４は再度Ｓ６１０の処理を実行してカウンタをインクリメントする。
【００４８】
ここでＳ６１２の処理を実行することによりシャッターメガネ２００は、当該シャッターメガネ２００を使用しているユーザの頭の向きを判別することができる。シャッターメガネ２００が、例えば赤外線通信によるシャッター制御情報を受信している場合、当該シャッターメガネ２００がテレビ装置１００に対して一定の角度以上になると制御信号を受信できない。つまり制御信号の受信状況により、シャッターメガネ２００を着用しているユーザの頭の向き、即ちユーザがテレビ装置１００の映像を視聴しているか否かを判別できる。
【００４９】
一方、Ｓ６１１においてカウンタ値が設定値以上である場合（Ｓ６１１のＹｅｓ）、通知制御部２０４は警告を通知する（Ｓ６１３）。ここで通知制御部２０４は、例えば振動発生部２０５に警告通知指示を出力して振動発生部２０５を振動させる、音声出力部２０６に警告通知指示を出力して音声出力部２０６に通知音を出力させる、シャッター制御部２０２に指示を出力してシャッター２０３に何らかの動作を実行させる等の処理を行うことにより、警告の通知を行う。なお振動や音声等を発生させることにより通知を行うことはあくまで一例であり、シャッターメガネ２００は、警告を通知する際に、当該警告通知の前とは異なる処理を実行することによりユーザに通知すればよい。
【００５０】
Ｓ６１４において通知制御部２０４は、カウンタをストップさせる。そして通知制御部２０４はカウンタの値をリセットし（Ｓ６１５）、シャッターメガネ２００による警告通知に係る処理フローは完了する。
【００５１】
本処理フローによれば、シャッターメガネ２００は、シャッター制御情報及び時間制御情報等の制御情報を受信した時間と、受信した時間制御情報に含まれる通知時間とに応じて、シャッター制御情報や時間制御情報を受信してから一定時間後に警告を通知することができる。そのため、例えば複数のユーザがシャッターメガネを着用してテレビ装置１００を視聴している場合において、これらユーザが視聴を開始した時間が異なっている場合に、夫々のユーザにとって良好な時間に通知することができる。
【００５２】
なお本処理フローにおいてシャッターメガネ２００は、シャッター制御情報の受信と時間制御情報の受信とを別の処理として説明しているが、シャッターメガネ２００は、シャッターメガネを制御するための制御情報と、通知時間の情報の両方を含む、例えば図４（Ｃ）及び（Ｄ）のような情報を受信しても良い。
【００５３】
また、本フローのＳ６０２において、シャッターメガネ２００は、時間制御情報を受信しない場合にＳ６０８の処理を実行するとしているが、例えばシャッター制御情報を受信した後一定期間、時間制御情報を受信しなかった場合に、Ｓ６０８の処理を実行してもよい。
【００５４】
また、Ｓ６１２の処理においてシャッターメガネ２００は、シャッター制御情報を受信していない状態が一定期間継続しているか否かを判別しているが、シャッターメガネ２００は、例えばテレビ装置１００に対する自機器の向きを検出して、当該検出した向きが、テレビ装置１００に対して一定の角度以上である状態が一定期間継続しているか否かを判別しても良い。
【００５５】
また、テレビ装置１００は時間制御情報を送信しなくともよく、シャッターメガネ２００は時間制御情報を受信しなくともよい。即ち、シャッターメガネ２００は、時間制御情報を受信しない場合、予め自機器に設定されている通知時間の設定値に基づいて警告通知を行う。この場合、シャッターメガネ２００は、シャッター制御情報を受信してシャッターの開閉動作を開始した場合にカウンタをスタートさせ、カウンタ値が設定値以上になった場合、つまりシャッター制御情報を受信してシャッター開閉を開始してから一定時間後に通知する。
【００５６】
上記の実施形態によれば、通知システムは、ユーザがシャッターメガネの使用を開始した時間に応じた、ユーザにとって好適な時間に通知することができる。
なお、本発明の実施形態は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００５７】
１００…テレビ装置、１０１…チューナ部、１０２…ＯＤＤ、１０３…映像入力部、１０４…復号部、１０５…ＯＳＤ処理部、１０６…表示処理部、１０７…表示部、１０８…操作受付部、１０９…ＧＵＩ処理部、１１０…通知時間処理部、１１１…送信部、２００…シャッターメガネ、２０１…受信部、２０２…シャッター制御部、２０３…シャッター、２０４…通知制御部、２０５…振動発生部、２０６…音声出力部、３００…シャッターメガネ、４００…シャッターメガネ
【図１】
2012060400.tif 000003
【図２】
2012060400.tif 000004
【図３】
2012060400.tif 000005
【図４】
2012060400.tif 000006
【図５】
2012060400.tif 000007
【図６】
2012060400.tif 000008
【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
表示装置と１以上のシャッターメガネとを含む通知システムであって、
前記表示装置は、
３Ｄ映像用の映像を表示する表示手段と、
前記１以上のシャッターメガネに、当該シャッターメガネのシャッターを制御するためのシャッター制御情報を含む制御情報を送信する送信手段と、
を備え、
前記シャッターメガネは、
前記シャッター制御情報を含む前記制御情報を受信する受信手段と、
受信された制御情報に含まれる前記シャッター制御情報に基づいて、右目用及び左目用シャッターを開閉させるシャッター制御手段と、
前記受信手段が前記制御情報の受信を開始した一定時間後にユーザに対して通知を行う通知手段と、
を備え、
さらに、前記制御情報は、前記シャッターメガネが通知する時間を制御するための時間制御情報を含み、
前記送信手段は、前記シャッター制御情報と前記時間制御情報とを送信し、
前記受信手段は、前記送信手段から送信された前記シャッター制御情報と前記時間制御情報とを受信し、
前記通知手段は、前記シャッター制御情報及び前記時間制御情報のうち少なくとも一方の受信を開始した後、受信された前記時間制御情報に基づいた一定時間後に通知する、通知システム。
【請求項２】
前記送信手段は、前記１以上のシャッターメガネの夫々の識別子と、当該識別子に対応付けられた時間情報とを含む前記時間制御情報を送信し、
前記通知手段は、受信された前記時間制御情報に含まれる時間情報のうち、自機器の識別子に対応付けられた時間情報に基づいた前記一定時間後に通知する、請求項１記載の通知システム。
【請求項３】
前記表示装置は、操作入力が入力される入力手段を更に備え、
前記送信手段は、入力された前記操作入力に基づいた前記時間制御情報を送信する、請求項１記載の通知システム。
【請求項４】
前記表示手段は、前記シャッターメガネが通知する時間について設定するための設定画面を表示し、
前記入力手段には、前記設定画面に対する操作入力が入力される、請求項３記載の通知システム。
【請求項５】
前記表示装置は、前記時間情報と前記シャッターメガネの識別子とを対応付ける対応付手段とを更に備え、
前記表示手段は、複数の前記シャッターメガネの夫々が通知する時間について、当該シャッターメガネ毎に設定するための前記設定画面を表示し、
前記対応付手段は、前記設定画面に対する操作入力に基づいて前記時間情報と前記識別子とを対応付け、
前記送信手段は、前記対応付手段により対応付けられた前記識別子と前記時間情報とを含む前記時間制御情報を送信する、請求項４記載の通知システム。
【請求項６】
シャッターメガネ制御用の制御情報を受信する受信手段と、
前記受信手段が前記制御情報の受信を開始した一定時間後にユーザに対して通知を行う通知手段と、
を備え、
前記制御情報は、前記シャッターメガネのシャッターを制御するためのシャッター制御情報と、前記シャッターメガネが通知する時間を制御するための時間制御情報とを含み、
前記受信手段は、前記シャッター制御情報と前記時間制御情報とを受信し、
前記通知手段は、前記シャッター制御情報及び前記時間制御情報の受信を開始した後、受信された前記時間制御情報に基づいた前記一定時間後に通知する、シャッターメガネ。
【請求項７】
前記受信手段は、シャッターメガネ毎の識別子が対応付けられた時間情報を含む前記時間制御情報を受信し、
前記通知手段は、受信された前記時間制御情報に含まれる時間情報のうち、自機器の識別子に対応付けられた時間情報に基づいた前記一定時間後に通知する、請求項６記載のシャッターメガネ。
【請求項８】
表示装置と１以上のシャッターメガネとを含むシステムにおける通知方法であって、
前記表示装置が３Ｄ映像用の映像を表示することと、
前記表示装置が前記１以上のシャッターメガネに制御情報を送信することと、
前記１以上のシャッターメガネが前記制御情報を受信することと、
前記１以上のシャッターメガネが、前記制御情報の受信を開始した一定時間後にユーザに対して通知を行うことと、
を備え、
前記制御情報は、前記シャッターメガネのシャッターを制御する情報と、通知時間に関する時間制御情報とであり、
前記１以上のシャッターメガネが、受信した前記時間制御情報に基づいた時間に通知する、通知方法。
【手続補正２】
【補正対象書類名】明細書
【補正対象項目名】０００６
【補正方法】変更
【補正の内容】
【０００６】
実施形態に係る通知システムは、表示装置と１以上のシャッターメガネとを含み、表示装置は表示手段と送信手段とを、シャッターメガネは受信手段とシャッター制御手段と通知手段とを備える。ここで、表示手段は、３Ｄ映像用の映像を表示する。送信手段は、１以上のシャッターメガネに、当該シャッターメガネのシャッターを制御するためのシャッター制御情報を含む制御情報を送信する。また、受信手段はシャッター制御情報を含む制御情報を受信する。シャッター制御手段は、受信された制御情報に含まれる前記シャッター制御情報に基づいて、右目用及び左目用シャッターを開閉させる。そして、通知手段は、受信手段が制御情報の受信を開始した一定時間後にユーザに対して通知を行う。さらに、前記制御情報は、前記シャッターメガネが通知する時間を制御するための時間制御情報を含む。前記送信手段は、前記シャッター制御情報と前記時間制御情報とを送信する。前記受信手段は、前記送信手段から送信された前記シャッター制御情報と前記時間制御情報とを受信する。さらに、前記通知手段は、前記シャッター制御情報及び前記時間制御情報のうち少なくとも一方の受信を開始した後、受信された前記時間制御情報に基づいた一定時間後に通知する。